(57)【特許請求の範囲】
【請求項１】
サーバと端末装置とを含み、前記サーバが、監視対象機器の情報を取得し、取得した情報を前記端末装置が開いたＷｅｂページ上に表示するモニタ手段を備えた遠隔監視システムであって、
前記Ｗｅｂページが、
前記端末装置が認証を受けるための認証番号を入力するための番号入力部と、
前記端末装置が前記モニタ手段の作動開始を要求する開始要求を入力するための開始入力部と、
前記端末装置が前記モニタ手段の作動停止を要求する停止要求を入力する停止入力部と、を含み、
前記端末装置は、認証番号が入力され、且つ前記開始要求が入力されると、入力された認証番号及び開始要求を前記サーバに送信し、前記サーバは前記認証番号及び前記開始要求を受信すると、前記認証番号を登録するとともに前記モニタ手段の作動を開始し、
前記端末装置において、前記モニタ手段の作動中に、前記停止要求が入力されることなく、前記Ｗｅｂページが閉じられた場合、再度、前記Ｗｅｂページが開かれて、前記登録された認証番号が入力されることによって、前記作動中のモニタ手段が停止される、遠隔監視システム。
【請求項２】
前記端末装置は、認証番号が入力され、且つ前記停止要求が入力されると、入力された認証番号及び停止要求を前記サーバに送信し、前記サーバは前記認証番号及び前記停止要求を受信すると、前記認証番号が登録された認証番号と一致する場合に、前記モニタ手段の作動を停止し、且つ、
前記サーバは、前記モニタ手段の作動停止を除いて、前記Ｗｅｂページの公開を、セッションＩＤを用いてセッション管理する、請求項１に記載の遠隔監視システム。
【請求項３】
複数の前記端末装置を備え、
ある端末装置が前記Ｗｅｂページを開いていて、前記モニタ手段が作動中である場合に、他の端末装置が前記Ｗｅｂページにアクセスした場合、前記サーバが、前記他の端末装置が開いた前記Ｗｅｂページ上に前記モニタ手段が取得した情報を表示する、請求項１又は２に記載の遠隔監視システム。
【請求項４】
複数の前記端末装置を備え、
ある端末装置が前記Ｗｅｂページを開いていて、前記モニタ手段が作動中である場合に、他の端末装置が前記Ｗｅｂページにアクセスした場合、前記サーバが、前記他の端末装置に前記モニタ手段の作動を開始させることが可能な時刻を表示させる、請求項１乃至３のいずれか１項に記載の遠隔監視システム。
【発明の詳細な説明】
【技術分野】
【０００１】
本発明は、遠隔監視システムに関する。
【背景技術】
【０００２】
従来の遠隔監視システムとして、例えば、監視情報を報知するためのＷｅｂページを生成するものが知られていた（例えば、特許文献１参照）。また、親機と子機とで構成されたコントローラを備え、それらのコントローラを介して全ての監視対象機器に関する情報を取得し、取得した情報をＷｅｂページで開示するものが知られていた（例えば、特許文献２参照）。
【先行技術文献】
【特許文献】
【０００３】
【特許文献１】特許第４０７０５５７号特許公報
【特許文献２】特許第４７１５４９９号特許公報
【発明の概要】
【発明が解決しようとする課題】
【０００４】
しかし、上記従来の遠隔監視システムは、Ｗｅｂページを通じた監視情報の監視に関して向上の余地があった。
【０００５】
本発明は、Ｗｅｂページを通じた監視情報の監視を向上した遠隔監視システムを提供することを課題とする。
【課題を解決するための手段】
【０００６】
上記課題を解決するために、本発明のある態様に係る遠隔監視システムは、サーバと端末装置とを含み、前記サーバが、監視対象機器の情報を取得し、取得した情報を前記端末装置が開いたＷｅｂページ上に表示するモニタ手段を備えた遠隔監視システムであって、前記Ｗｅｂページが、前記端末装置が認証を受けるための認証番号を入力するための番号入力部と、前記端末装置が前記モニタ手段の作動開始を要求する開始要求を入力するための開始入力部と、前記端末装置が前記モニタ手段の作動停止を要求する停止要求を入力する停止入力部と、を含み、前記端末装置は、認証番号が入力され、且つ前記開始要求が入力されると、入力された認証番号及び開始要求を前記サーバに送信し、前記サーバは前記認証番号及び前記開始要求を受信すると、前記認証番号を登録するとともに前記モニタ手段の作動を開始し、前記端末装置において、前記モニタ手段の作動中に、前記停止要求が入力されることなく、前記Ｗｅｂページが閉じられた場合、再度、前記Ｗｅｂページが開かれて、前記登録された認証番号が入力されることによって、前記作動中のモニタ手段が停止される。ここで、「Ｗｅｂページ」は複数ページでもよく、そのような場合には、番号入力部、開始入力部、及び停止入力部が、異なるページに含まれていてもよい。
【０００７】
この構成によれば、ユーザが、モニタ手段の停止操作を行うことなく誤ってＷｅｂページを閉じてしまった場合でも、そのユーザがモニタ手段を停止することができる。その結果、Ｗｅｂページを通じた監視情報の監視を向上した遠隔監視システムを提供することができる。
【０００８】
前記端末装置は、認証番号が入力され、且つ前記停止要求が入力されると、入力された認証番号及び停止要求を前記サーバに送信し、前記サーバは前記認証番号及び前記停止要求を受信すると、前記認証番号が登録された認証番号と一致する場合に前記モニタ手段の作動を停止し、且つ、前記サーバは、前記モニタ手段の作動停止を除いて、前記Ｗｅｂページの公開を、セッションＩＤを用いてセッション管理してもよい。
【０００９】
この構成によれば、サーバが、モニタ手段の作動開始及び作動停止を除いて、Ｗｅｂページの公開を、セッションＩＤを用いてセッション管理するので、基本的に、当該Ｗｅｂページへのアクセスに始まる端末装置とサーバとの間の一連の通信制御が１つの集合体として管理される。従って、端末装置が当該Ｗｅｂページへアクセスする度に、新たにセッションＩＤが発行されるが、モニタ手段の作動開始及び作動停止はセッションＩＤではなく認証番号を用いて行われるので、モニタ手段の作動中に誤ってＷｅｂページを閉じた場合には、その後、端末装置において、ユーザが登録された認証番号及び停止要求を入力することによって、先のセッションにおいて作動中のモニタ手段を停止することができる。従って、ユーザが、モニタ手段の停止操作を行うことなく誤ってＷｅｂページを閉じてしまった場合でも、そのユーザがモニタ手段を停止することができるという機能を好適に実現することができる。
【００１０】
前記遠隔監視システムが複数の前記端末装置を備え、ある端末装置が前記Ｗｅｂページを開いていて、前記モニタ手段が作動中である場合に、他の端末装置が前記Ｗｅｂページにアクセスした場合、前記サーバが、前記他の端末装置が開いた前記Ｗｅｂページ上に前記モニタ手段が取得した情報を表示してもよい。
【００１１】
この構成によれば、複数の端末装置が同時にＷｅｂページを通じて同じ監視対象機器を監視することができる。
【００１２】
前記遠隔監視システムが複数の前記端末装置を備え、ある端末装置が前記Ｗｅｂページを開いていて、前記モニタ手段が作動中である場合に、他の端末装置が前記Ｗｅｂページにアクセスした場合、前記サーバが、前記他の端末装置に前記モニタ手段の作動を開始させることが可能な時刻を表示させてもよい。
【００１３】
この構成によれば、操作権を持たない端末装置がモニタ手段を利用することが可能になる時刻を知ることができる。
【発明の効果】
【００１４】
上記遠隔監視システムによれば、Ｗｅｂページを通じた監視情報の監視を向上した遠隔監視システムを提供することができる。
【図面の簡単な説明】
【００１５】
【図１】図１は、本発明の第１実施形態に係る遠隔監視システムの構成を示すブロック図である。
【図２】図２は、図１の遠隔監視システムの動作を示すフローチャートである。
【図３】図３は、監視対象機器をモニタするためのＷｅｂページの一例を示す模式図である。
【図４】図４は、本発明の第２実施形態に係る遠隔監視システムにおいて操作権を有しない端末に表示される監視対象機器をモニタするためのＷｅｂページの一例を示す模式図である。
【図５】図５は、想定例の遠隔監視システムの動作を示すフローチャートである。
【図６】図６は、想定例の遠隔監視システムにおいてモニタ手段を停止することなくＷｅｂページを閉じた場合の動作を示すフローチャートである。
【発明を実施するための形態】
【００１６】
（本発明の着眼点）
従来の遠隔監視システムが監視情報の監視に利用するＷＷＷサービス（Ｗｅｂページ）にはＨＴＴＰプロトコルが使用されるが、ＨＴＴＰプロトコルでは、クライアントからＷｅｂサーバへのリクエストがある度に、クライアントとサーバとの間でコネクションが成立し、リクエストに対するレスポンスが行われて、コネクションが切断される。そのため、何ら対策を講じない場合には、Ｗｅｂサーバに対する複数リクエストが同一クライアントから送信されたものであるか否かを判断することが不可能である。Ｗｅｂサーバにユーザがログインしてからログアウトするまで、ログイン情報を保持したままページを移管する必要がある場合には、クライアントとサーバとの間でその情報を保持し、アクセス制御を１つの集合体として管理する仕組みが必要となる。この仕組みを実現する方法として、クライアントがＷｅｂサーバにログインした際に、セッションＩＤを発行し、以後、そのセッションＩＤを基にクライアントとＷｅｂサーバとのセッション管理を行うものが知られている。
【００１７】
ここで、複数の給湯器の台数制御を行う連結給湯システムについて、遠隔に設置されたサーバ等により監視を行う遠隔監視システムを想定する。この遠隔監視システムでは、連結給湯システム内の各機器の動作状態等の情報を、Ｗｅｂページ上で開示するモニタ機能（モニタ手段又はモニタ動作モード）を有する。
【００１８】
図５に示すように、ユーザの端末のＷｅｂブラウザからＷｅｂページにアクセスすると、サーバからセッションＩＤ（ここではＩＤA）が割り当てられ、そのセッションＩＤに基づいて端末が識別され、モニタ機能の操作権（モニタ機能の作動を開始及び停止する権限）が付与される。具体的には、端末がモニタ機能の作動開始要求をセッションＩＤAと共に送信すると、サーバがセッションＩＤAを登録し、モニタ機能を作動させて、そのこと（開始応答（許可））を端末に送信する。以降、端末からセッションＩＤAと共に要求（リクエスト）がサーバに送信され、サーバから応答（レスポンス）が端末に送信される。
【００１９】
そして、端末がモニタ機能の作動停止要求をセッションＩＤAと共に送信すると、サーバがモニタ機能を停止させて、そのこと（停止応答（許可））を端末に送信する。この際に、セッションＩＤAの登録を削除する。これにより、セッションが終了し、ユーザがサーバからログアウトする。
【００２０】
ところが、図６に示すように、この操作権を持つ端末が、誤って、モニタ機能の停止要求を送信することなく、Ｗｅｂページを閉じることが考えられる。この場合、ユーザがモニタ機能の作動を停止させようとして端末を操作して、Ｗｅｂページにアクセスすると、サーバはセッションＩＤBを割り当ててＷｅｂページを端末に送信する。その結果、ユーザがモニタ機能の作動停止要求を送信した場合、セッションＩＤBが一緒に送信される。先のセッションはモニタ機能の作動停止によって終了するので、この時点では先のセッションが継続したまま（ログインが継続したまま）である。従って、サーバはセッションＩＤが一致しないとして、この作動停止要求を拒否する応答（停止応答（拒否））を端末に送信する。従って、この想定例では、操作権を持つ端末が、誤って、モニタ機能の停止要求を送信することなく、Ｗｅｂページを閉じると、モニタ機能を停止させることができないことが判る。本発明は、この問題に着眼してなされたものである。
【００２１】
以下、本発明の実施形態について、添付図面を参照しつつ説明する。以下では、全ての図を通じて同一又は相当する要素には同一の参照符号を付して、その重複する説明を省略する。
【００２２】
（第１実施形態）
［構成］
図１は、本発明の第１実施形態に係る遠隔監視システムの構成を示すブロック図である。
図１に示すように、第１実施形態に係る遠隔監視システムは、サーバ１と、第１端末乃至第ｎ端末（端末装置：以下、１以上の端末２と総称する場合がある。ｎは２以上の整数。）と、を含む。サーバ１と端末２はデータ通信可能なネットワーク４を介して相互に通信可能に接続される。ネットワーク４には、監視対象である第１機器乃至第ｍ機器（監視対象機器：以下、１以上の機器３と総称する場合がある。ｍは２以上の整数。）が接続されている。なお、１以上の機器３は、ネットワーク４とは別個のデータ通信回線を通じてサーバ１と接続されてもよい。
【００２３】
サーバ１は、ここではいわゆるＷｅｂサーバである。サーバ１は、例えば、演算部と記憶部とを有するコンピュータで構成され、記憶部に格納されたＷＷＷサービスを行うプログラムが演算部で実行されることによって、Ｗｅｂサーバとして機能する。サーバ１は、１以上の機器３を遠隔監視するためのＷｅｂページ（以下、遠隔監視Ｗｅｂページという）を含むＷｅｂサイト（以下、遠隔監視Ｗｅｂサイトという）を公開している。また、サーバ１は、モニタ手段１ａを含む。モニタ手段１ａは、記憶部に格納され演算部で実行される遠隔監視プログラムに従ってコンピュータが動作することによって実現される手段である。モニタ手段１ａは、１以上の機器３の情報を収集し、その収集した情報を遠隔監視Ｗｅｂページ３１（図３参照）に表示する。なお、モニタ手段１ａは、収集した情報を記憶する。
【００２４】
端末２は、ここではいわゆるＷｅｂクライアントである。端末２は、例えば、演算部と記憶部とを有するコンピュータで構成され、記憶部に格納されたＷｅｂブラウザが演算部で実行されることによって、Ｗｅｂクライアントとして機能する。
【００２５】
１以上の機器３は、特に限定されない。１以上の機器３は、それぞれが、独立して機能する機器（以下、独立機器という）の集まり、特定の目的を達成する（特定の機能を発揮する）システム（以下、単にシステムという）を構成する機器群、又は独立機器とシステムとの組合せであり得る。システムは複数であってもよい。機器３として、例えば、給湯システムを構成する機器が例示される。そのような機器として、給湯器、各種センサ、コントローラ等が例示される。１以上の機器３から収集される情報は特に限定されない。そのような情報として、機器３の状態を示す物理量（温度等）、稼働状況を示すパラメータ、故障情報等が例示される。
【００２６】
ネットワーク４は、例えば、インターネット、ＬＡＮ、商用通信回線等で構成される。
【００２７】
［動作］
以上のように構成された遠隔監視システムの動作を説明する。図２は、図１の遠隔監視システムの動作を示すフローチャートである。以下では、端末２としての第１端末がサーバ１にアクセスする場合を例示する。また、図２においては、端末２によるサーバ１の遠隔監視Ｗｅｂページ３１（図３参照）へのアクセスを「Ｗｅｂページアクセス」として示し、サーバ１による端末２への遠隔監視Ｗｅｂページ３１の送信を「Ｗｅｂページ」として示す。
【００２８】
図１の遠隔監視システムでは、サーバ１は、モニタ手段１ａの作動停止を除いて、遠隔監視Ｗｅｂページ３１の公開を、セッションＩＤを用いてセッション管理する。また、ユーザが端末２を操作してサーバ１にログインする際にユーザＩＤの認証が行われる。しかし、本実施形態では、ユーザＩＤは、複数の端末２に共通して使用されるため、サーバ１は、ユーザＩＤによって端末２及びその操作者を特定することはできない。そこで、サーバ１がモニタ手段１ａの作動停止を行うために、端末２において操作者が入力する認証番号（以下、単に認証番号という）が用いられる。
【００２９】
図２を参照すると、まず、端末２がサーバ１の遠隔監視Ｗｅｂページ３１にアクセスすると、端末２とサーバ１との間でユーザＩＤの認証が行われ、この認証が成功すると端末２（正確には端末２を操作するユーザ）がサーバ１にログインする。このログインによって、セッションが開始される。サーバ１はセッションＩＤAを発行し、これを遠隔監視Ｗｅｂページ３1と共に端末２に送信する。なお、以下では、端末２による要求（リクエスト）及びサーバ１による応答（レスポンス）にはセッションＩＤが付されていて、それによりセッション管理がなされるが、特に必要な場合を除いて、その言及を省略する。
【００３０】
端末２は受信した遠隔監視Ｗｅｂページ３１をその表示部（図示せず）に表示する（以下、単に「表示する」と略記する）。遠隔監視Ｗｅｂページ３１は、端末２が認証を受けるための認証番号を入力するための番号入力部と、端末２がモニタ手段１ａの作動開始を要求する開始要求を入力するための開始入力部と、端末２がモニタ手段１ａの作動停止を要求する停止要求を入力する停止入力部と、を含む。
【００３１】
図３に遠隔監視Ｗｅｂページの具体例を示す。図３において、参照符号３１は、遠隔監視Ｗｅｂページを示す。この遠隔監視Ｗｅｂページ３１は、「顧客ＩＤ入力部」３２と、「決定入力部」３３と、「機器選択部」３４と、「監視項目選択部」３５と、「認証番号入力部」３６と、「開始入力部」３７と、「取得結果表示部」３８と、「停止入力部」３９とを含む。「決定入力部」３３は、エンターキーに相当する機能を有する。
【００３２】
この遠隔監視Ｗｅｂページ３１を含む遠隔監視Ｗｅｂサイトをサーバ１上で公開する主体は、ここでは、監視対象である機器３のメーカである。機器３の購入者が「顧客」である。そして、メンテナンス業者が端末２を用いて機器３をメンテナンスのために監視する。メンテナンス業者は、例えば、機器３を販売する販売代理店である。機器３は、例えば、給湯システムを構成する機器群である。従って、「顧客ＩＤ」は、顧客に納入された（販売された）システムあるいは一群の独立機器を特定するためのＩＤである。
【００３３】
ここで、上述のユーザＩＤに関する説明を補充する。ユーザＩＤは、メンテナンス業者毎に割り当てられる。そして、１つのメンテナンス業者において、複数の担当者（ユーザ）が複数の端末２をそれぞれ操作して、１つの顧客の機器３を監視しながらメンテナンスを行う場合があるため、上述のように、ユーザＩＤが複数の端末２に共通して使用される。
【００３４】
図２及び図３を参照すると、「顧客ＩＤ入力部」３２は、この「顧客ＩＤ」を入力するためのページ部分（Ｗｅｂページの一部）である。ユーザは、まず、「顧客ＩＤ」を入力し、「決定入力部」３３をクリックする。
【００３５】
すると、監視すべきシステム又は一群の独立機器が特定され、それが「機器選択部」３４に表示される。各機器は所定の記号（アルファベット及び数字の列）で表示される。「機器選択部」３４は、表示された複数の機器から監視すべき機器を選択するページ部分である。ユーザは、監視すべき機器をクリックして選択する。図３では、機器「ＳＣ１」、機器「ＷＨ０１」、及び機器「ＷＨ０２」が選択されている。なお、「機器選択部」３４には、顧客に納入されうる全ての機器が表示されるため、「顧客ＩＤ」で特定された顧客に納入された機器でない機器には取り消し線が付されて選択できないようになっている。
【００３６】
「監視項目選択部」３５は、選択した機器について、共通に監視すべき項目（情報）を選択するページ部分である。各項目は、所定の記号（数字の列）で表示される。なお、選択した機器毎に、異なる項目を選択できるようにしてもよい。ユーザは監視すべき項目をクリックして選択する。図３では、項目「３０」及び項目「３１」が選択されている。
【００３７】
「認証番号入力部」３６は「認証番号」を入力するためのページ部分である。「認証番号」は、モニタ手段１ａの操作権（ここでは作動開始及び作動停止を操作する権限）を有する者を特定する（認証する）ための番号である。ここでは４桁の番号であり、ユーザが適宜決めることができる。但し、忘れると、モニタ手段１ａを操作することができなくなる。ここでは、デフォルトで「００００」の認証番号が設定されている。ユーザは、適宜な認証番号Aを「認証番号入力部」３６に入力する。
【００３８】
「開始入力部」３７は、モニタ手段１ａの作動開始要求（以下、単に作動開始要求という）を入力するページ部分である。「取得結果表示部」３８は、モニタ手段１ａが選択された監視対象機器から取得した、選択された監視項目のデータを表示するページ部分である。「停止入力部」３９は、モニタ手段１ａの作動停止要求（以下、単に作動停止要求という）を入力するページ部分である。
【００３９】
ここでは、ユーザは、「開始入力部」３７をクリックする。
【００４０】
すると、端末２は、「作動開始要求」及び「認証番号A」をサーバ１に送信する。
【００４１】
サーバ１は、「作動開始要求」及び「認証番号A」を受信すると、「認証番号A」を登録する（記憶部に記憶する）。そして、モニタ手段１ａの作動を開始し、モニタ手段１ａの作動開始を許可したこと（開始応答（許可））を端末２に送信する。モニタ手段１ａは、選択された監視対象機器から、選択された監視項目のデータを収集して記憶する。なお、モニタ手段１ａは、全ての監視対象機器から、全ての監視項目のデータを収集して記憶し、その中から、選択された監視対象機器の選択された監視項目のデータを抽出して、それを端末２に送信するように構成されてもよい。
【００４２】
端末２は、この開始応答（許可）を受信すると、サーバ１にモニタ手段１ａが収集したデータの要求（データ要求）を送信する。また、端末２は、開始応答（許可）を受信すると、モニタ手段１ａの作動開始が許可されたことを遠隔監視Ｗｅｂページ３１に表示する。ここでは、「開始入力部」３７が着色して表示される。一方、サーバ１は、この要求を受信すると、その時点でモニタ手段１ａが収集したデータ（データ応答）を端末２に送信する。端末２は、このデータ応答を受信すると、このデータ応答である、選択された監視対象機器の選択された監視項目のデータを、図３に示すように、遠隔監視Ｗｅｂページ３１の「取得結果表示部」３８に表示する。
【００４３】
そして、端末２は、所定の時間間隔（例えば１０秒間隔）で、データ要求をサーバ１に送信し、サーバ１は、逐次、受信したデータ要求に対応するデータ応答を端末２に送信する。端末２は、逐次、受信するデータ応答を遠隔監視Ｗｅｂページ３１の「取得結果表示部」３８に表示する。これにより、遠隔監視Ｗｅｂページ３１の「取得結果表示部」３８に表示されているデータが逐次更新される。従って、端末２を操作するユーザは、選択した監視対象機器の選択した監視項目を遠隔監視することができる。
【００４４】
やがて、予定の処理を完了し、ユーザは、遠隔監視を終了させようとする。ところが、ユーザが誤って遠隔監視Ｗｅｂページ３１を閉じる場合があり得る。この場合、上述のセッションは継続しており、モニタ手段１ａも作動したままである。そこで、ユーザは、モニタ手段１ａの作動を停止せるために、遠隔監視Ｗｅｂページ３１にアクセスする。すると、サーバ１は、セッションＩＤBを発行し、これを遠隔監視Ｗｅｂページ３１と共に端末２に送信する。
【００４５】
端末２は受信した遠隔監視Ｗｅｂページ３１を表示する。そして、ユーザが「認証番号入力部」３６に登録された認証番号Aを入力し、「停止入力部」３９をクリックする。
【００４６】
すると、端末２は、「作動停止要求」及び「認証番号A」をサーバ１に送信する。
【００４７】
サーバ１は、「作動停止要求」及び「認証番号A」を受信すると、「認証番号A」を登録された認証番号と照合し、認証番号Aが登録された認証番号（ここでは認証番号A）と一致すると、モニタ手段１ａの作動を停止し、モニタ手段１ａの作動停止を許可したこと（停止応答（許可））を端末２に送信する。そして、認証番号Aの登録を削除する。一方、認証番号が登録された認証番号と一致しない場合は、サーバ１は、その旨を端末２に送信し、モニタ手段１ａの作動を停止しない。ところで、「作動停止要求」にはセッションＩＤBが付されているが、サーバ１は、「作動停止要求」については、セッションＩＤBを参照しない。
【００４８】
端末２は、この停止応答（許可）を受信すると、モニタ手段１ａの作動が停止されたことを遠隔監視Ｗｅｂページ３１に表示する。ここでは、「停止入力部」３９が着色して表示される。その一方、「開始入力部」３７の着色が消滅する。
【００４９】
なお、ユーザが誤って遠隔監視Ｗｅｂページ３１を閉じない場合には、ユーザは、表示されている遠隔監視Ｗｅｂページ３１の「認証番号入力部」３６に、登録された認証番号Aを入力し、「停止入力部」３９をクリックする。すると、上述のように、モニタ手段１ａの作動停止を含む一連の処理がなされる。
【００５０】
また、端末２が遠隔監視Ｗｅｂページ３１を開いていて、何らのアクションをしない場合には、サーバ１はタイムアウト処理として、端末２（ユーザ）がサーバ１からログアウトしたものとし、登録した認証番号（ここでは認証番号A）及びセッションＩＤ（ここではセッションＩＤA）を削除する。タイムアウト処理は、例えば、最後のアクションから３０分経過すると行われる。
【００５１】
以上に説明したように、本実施形態の遠隔監視システムによれば、ユーザが、モニタ手段１ａの停止操作を行うことなく誤って遠隔監視Ｗｅｂページ３１を閉じてしまった場合でも、そのユーザがモニタ手段１ａを停止することができる。その結果、遠隔監視Ｗｅｂページ３１を通じた監視情報の監視を向上した遠隔監視システムを提供することができる。
【００５２】
（第２実施形態）
本発明の第２実施形態は、基本的に第１実施形態と同じであるが、一部相違する。以下、この相違点のみを説明する。
【００５３】
図４は、本発明の第２実施形態に係る遠隔監視システムにおいて操作権を有しない端末に表示される監視対象機器をモニタするためのＷｅｂページの一例を示す模式図である。
【００５４】
図４を参照すると、参照符号４１は、操作権を有しない端末に表示される遠隔監視Ｗｅｂページを示す。ここで「操作権」は、第１実施形態で説明した、モニタ手段１ａを操作する権限である。遠隔監視Ｗｅｂページ４１は、「項目選択部」４２と「取得結果表示部」４３とを含む。「項目選択部」４２は、操作可能予定時刻を表示するページ部分である。「取得結果表示部」４３は、ある端末２によって選択された監視項目及びその対応する受信データ（値）を表示するページ部分である。
【００５５】
本実施形態では、ある端末（例えば第１端末）２が遠隔監視Ｗｅｂページ３１を開いていて、モニタ手段１ａが作動中である場合に、他の端末（例えば第２端末）２がＷｅｂページ３１にアクセスした場合、サーバ１が、図４に示すように、この他の端末２が開いた遠隔監視Ｗｅｂページ４１上にモニタ手段１ａが取得した情報を表示する。
【００５６】
これにより、複数の端末２が同時に遠隔監視Ｗｅｂページ３１、４１を通じて同じ監視対象機器を監視することができる。
【００５７】
また、本実施形態では、ある端末２が遠隔監視Ｗｅｂページ３１を開いていて、モニタ手段１ａが作動中である場合に、他の端末２が遠隔監視Ｗｅｂページ３１にアクセスした場合、サーバ１が、図４に示すように、他の端末２の遠隔監視Ｗｅｂページ４１の「項目選択部」４２に、当該他の端末２がモニタ手段１ａの作動を開始させることが可能な予定時刻を表示させる。この予定時刻は、例えば、ある端末２がモニタ手段１ａの作動を開始した時刻にタイムアウト処理する時間（例えば３０分）を加算して算出する。これは何らのアクションも無かったとした場合の予定時刻である。
【００５８】
この構成によれば、操作権を持たない端末２がモニタ手段１ａを利用することが可能になる時刻を知ることができる。
【００５９】
上記実施形態では、「認証番号入力部」、「開始入力部」、及び「停止入力部」が同じページに含まれていたが、異なるページに含まれていてもよい。
【００６０】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００６１】
本発明の遠隔監視システムは、Ｗｅｂページを通じた監視情報の監視を向上した遠隔監視システムとして有用である。
【符号の説明】
【００６２】
１    サーバ
２    端末
３    機器
４    ネットワーク
３１  Ｗｅｂページ
３２  顧客ＩＤ入力部
３３  決定入力部
３４  機器選択部
３５  監視項目選択部
３６  認証番号入力部
３７  開始入力部
３８  取得結果表示部
３９  停止入力部
４１  Ｗｅｂページ
４２  項目選択部
４３  取得結果表示部
【図１】
0006531594.tif 000002
【図２】
0006531594.tif 000003
【図３】
0006531594.tif 000004
【図４】
0006531594.tif 000005
【図５】
0006531594.tif 000006
【図６】
0006531594.tif 000007